(57)【要約】【課題】  簡単な構成で被検眼の乱視を補正でき、好適な眼底画像を得る。【解決手段】  合焦レンズと、合焦レンズを光軸方向に移動させる第１駆動機構と、を有する眼底撮影光学系と、該光学系の光路中に設けられ被検眼の乱視を補正するための乱視補正用光学部材と、所定の乱視度数及び乱視軸角度を得るために乱視補正用光学部材を光軸中心に回転させる第２駆動機構と、を有する乱視補正手段と、別筐体である眼屈折力測定装置により測定された被検眼の乱視度数及び乱視軸角度を含む測定データを取得する測定データ取得手段と、眼底のフォーカス状態を検出するフォーカス検出手段と、該検出手段からの検出結果に基づいて前記第１駆動機構を駆動制御してオートフォーカスを行う前に、前記取得手段によって得られた測定データにおける乱視度数及び乱視軸角度に基づいて第２駆動機構を駆動制御する制御手段と、を備える。【選択図】      図２
2009207572.tif 000002
【特許請求の範囲】
【請求項１】
被検眼眼底とのフォーカスを合わせるためのフォーカシングレンズと、前記フォーカシングレンズを光軸方向に移動させる第１駆動機構と、を有し、被検眼の眼底を撮像素子により撮影する眼底撮影光学系と、
前記眼底撮影光学系の光路中に設けられ、被検眼の乱視を補正するための乱視補正用光学部材と、所定の乱視度数及び乱視軸角度を得るために前記乱視補正用光学部材を光軸中心に回転させる第２駆動機構と、を有する乱視補正手段と、
別筐体であって被検眼の眼屈折力を他覚的に測定する眼屈折力測定装置により測定された少なくとも被検眼の乱視度数及び乱視軸角度を含む測定データを取得する眼屈折力測定データ取得手段と、
被検眼眼底と前記撮像素子とのフォーカス状態を検出するフォーカス検出手段と、
前記フォーカス検出手段からの検出結果に基づいて前記第１駆動機構を駆動制御して被検眼眼底に対するオートフォーカスを行う前に、前記眼屈折力測定データ取得手段によって得られた測定データにおける被検眼の乱視度数及び乱視軸角度に基づいて前記第２駆動機構を駆動制御する制御手段と、を備えることを特徴とする眼底カメラ。
【請求項２】
請求項１の眼底カメラにおいて、
前記眼屈折力測定データ取得手段により取得される測定データは、さらに、被検眼の球面度数を含み、
前記制御手段は、前記フォーカス検出手段からの検出結果に基づいて前記第１駆動機構を駆動制御して被検眼に対するオートフォーカスを行う前に、前記測定データ取得手段によって得られた測定データにおける被検眼の乱視度数及び乱視軸角度に基づいて前記第２駆動機構を駆動制御すると共に、前記眼屈折力測定データ取得手段によって得られた測定データにおける被検眼の球面度数に基づいて前記第１駆動機構を駆動制御することを特徴とする眼底カメラ。
【請求項３】
請求項２の眼底カメラにおいて、
被験者を識別するための識別情報を入力する識別情報入力手段を備え、
前記測定データは、前記識別情報との対応づけがなされた測定データであって、
前記眼屈折力測定データ取得手段は、複数の被験者の測定データの中から前記識別情報入力手段から入力された識別情報に対応する測定データを取得することを特徴とする眼底カメラ。
【請求項４】
請求項３の眼底カメラにおいて、
前記眼底撮影光学系によって撮影される被験者の左右眼を判別する左右眼判別手段を備え、
前記眼屈折力データ取得手段によって取得される測定データは、被験者の左右眼それぞれから得られた測定データであって、かつ、各測定データの左右眼の判別がなされた測定データであり、
前記制御手段は、前記左右眼判別手段による判別結果に対応する測定データにおける被検眼の乱視度数及び乱視軸角度に基づいて前記第２駆動機構を駆動制御することを特徴とする眼底カメラ。
【請求項５】
請求項４の眼底カメラにおいて、
被験者の片眼に対する撮影後、もう一方の被検眼の撮影を行う際、
制御手段は、前記左右眼判別手段からの出力信号に基づいて左右眼の切換を検出し、撮影眼として新たに判別された被検眼に対応する測定データにおける被検眼の乱視度数及び乱視軸角度に基づいて前記第２駆動機構を駆動制御することを特徴とする眼底カメラ。
【発明の詳細な説明】
【技術分野】
【０００１】
本発明は、被検眼の眼底を撮影する眼底カメラに関する。
【背景技術】
【０００２】
従来、被検眼の眼底を撮影する眼底カメラには、被検眼眼底とのフォーカスを合わせるためのフォーカシングレンズが設けられており、フォーカシングレンズを手動又は自動（オートフォーカス）にて光軸方向に移動させることにより、被検眼眼底と撮像素子とのフォーカス合わせがなされている。
【０００３】
このような眼底カメラにおいて、被検眼の屈折力を他覚的に測定する眼屈折力測定装置により得られた被検眼の球面度数に基づいてフォーカシングレンズを光軸方向に移動させ、オートフォーカスを実行する前のフォーカシングレンズの初期位置を設定する構成が開示されている（特許文献１参照）。また、被検眼の球面度数に加えて、被検眼の円柱度数及び円柱軸角度を用いてフォーカシングレンズを移動させることが開示されている。
【０００４】
また、他の構成としては、フォーカシングレンズに加えて、眼底撮影光学系の光路中に乱視補正用の２枚の円柱レンズが配置され、互いに直交関係にある２つのスリット指標を被検眼の眼底上に投影する投影光学系と、眼底に投影された２つのスリット指標を受光する受光素子を持つ受光光学系と、を有し、受光光学系の受光素子からの受光信号に基づいて被検眼眼底と撮像素子との間の少なくとも２経線方向のフォーカス状態を検出し、検出されるスリット指標が所定の位置関係となるように２枚の円柱レンズ及びフォーカシングレンズを駆動させることにより被検眼の乱視を含めた屈折異常を補正する眼底カメラが開示されている（特許文献２参照）。
【特許文献１】特開２０００−１１６６０３号公報
【特許文献２】特開平３−７１３５号公報
【発明の開示】
【発明が解決しようとする課題】
【０００５】
ところで、近年では、高画素の二次元撮像素子により被検眼眼底を撮像し、取得した眼底画像をパソコンのディスプレイ等の大きな画面に表示して観察することが多い。このような場合、例えば、強度の乱視眼の眼底画像を表示すると、小さなモニタ画面ではあまり気にならない眼底画像のぼけが目立ってしまい、観察しづらくなる場合がある。したがって、被検眼の屈折異常を精度よく補正することが望まれる。
【０００６】
しかしながら、特許文献１の装置においては、被検眼の乱視を補正するための光学系を持たず、眼屈折力測定装置により得られる円柱度数及び円柱軸角度は、オートフォーカス実行前のフォーカシングレンズの初期位置の設定のために用いるに過ぎず、被検眼の乱視を補正することは困難である。また、特許文献２の装置においては、被検眼の２経線方向のフォーカス状態を検出するために、特別なフォーカス指標投影光学系及びフォーカス指標受光光学系を設ける必要があり、光学配置が複雑となってしまう。
【０００７】
本発明は、上記問題点を鑑み、簡単な構成で被検眼の乱視を補正でき、好適な眼底画像を得ることのできる眼底カメラを提供することを技術課題とする。
【課題を解決するための手段】
【０００８】
上記課題を解決するために、本発明は以下のような構成を備えることを特徴とする。
【０００９】
（１）  被検眼眼底とのフォーカスを合わせるためのフォーカシングレンズと、前記フォーカシングレンズを光軸方向に移動させる第１駆動機構と、を有し、被検眼の眼底を撮像素子により撮影する眼底撮影光学系と、
前記眼底撮影光学系の光路中に設けられ、被検眼の乱視を補正するための乱視補正用光学部材と、所定の乱視度数及び乱視軸角度を得るために前記乱視補正用光学部材を光軸中心に回転させる第２駆動機構と、を有する乱視補正手段と、
別筐体であって被検眼の眼屈折力を他覚的に測定する眼屈折力測定装置により測定された少なくとも被検眼の乱視度数及び乱視軸角度を含む測定データを取得する眼屈折力測定データ取得手段と、
被検眼眼底と前記撮像素子とのフォーカス状態を検出するフォーカス検出手段と、
前記フォーカス検出手段からの検出結果に基づいて前記第１駆動機構を駆動制御して被検眼眼底に対するオートフォーカスを行う前に、前記眼屈折力測定データ取得手段によって得られた測定データにおける被検眼の乱視度数及び乱視軸角度に基づいて前記第２駆動機構を駆動制御する制御手段と、を備えることを特徴とする。
（２）  （１）の眼底カメラにおいて、
前記眼屈折力測定データ取得手段により取得される測定データは、さらに、被検眼の球面度数を含み、
前記制御手段は、前記フォーカス検出手段からの検出結果に基づいて前記第１駆動機構を駆動制御して被検眼に対するオートフォーカスを行う前に、前記測定データ取得手段によって得られた測定データにおける被検眼の乱視度数及び乱視軸角度に基づいて前記第２駆動機構を駆動制御すると共に、前記眼屈折力測定データ取得手段によって得られた測定データにおける被検眼の球面度数に基づいて前記第１駆動機構を駆動制御することを特徴とする。
（３）  （２）の眼底カメラにおいて、
被験者を識別するための識別情報を入力する識別情報入力手段を備え、
前記測定データは、前記識別情報との対応づけがなされた測定データであって、
前記眼屈折力測定データ取得手段は、複数の被験者の測定データの中から前記識別情報入力手段から入力された識別情報に対応する測定データを取得することを特徴とする。
（４）  （３）の眼底カメラにおいて、
前記眼底撮影光学系によって撮影される被験者の左右眼を判別する左右眼判別手段を備え、
前記眼屈折力データ取得手段によって取得される測定データは、被験者の左右眼それぞれから得られた測定データであって、かつ、各測定データの左右眼の判別がなされた測定データであり、
前記制御手段は、前記左右眼判別手段による判別結果に対応する測定データにおける被検眼の乱視度数及び乱視軸角度に基づいて前記第２駆動機構を駆動制御することを特徴とする。
（５）  （４）の眼底カメラにおいて、
被験者の片眼に対する撮影後、もう一方の被検眼の撮影を行う際、
制御手段は、前記左右眼判別手段からの出力信号に基づいて左右眼の切換を検出し、撮影眼として新たに判別された被検眼に対応する測定データにおける被検眼の乱視度数及び乱視軸角度に基づいて前記第２駆動機構を駆動制御することを特徴とする。
【発明の効果】
【００１０】
本発明によれば、簡単な構成で被検眼の乱視を補正でき、好適な眼底画像を得ることができる。
【発明を実施するための最良の形態】
【００１１】
以下、本発明に係る実施形態を図面に基づいて説明する。図１は本実施形態に係る眼底カメラの外観構成図である。
【００１２】
眼底カメラは、基台１と、基台１に対して左右方向（Ｘ方向）及び前後（作動距離）方向（Ｚ方向）に移動可能な移動台２と、移動台２に対して３次元方向に移動可能に設けられ後述する光学系を収納する撮影部（装置本体）３と、被検者の顔を支持するために基台１に固設された顔支持ユニット５を備える。撮影部３は、移動台２に設けられたＸＹＺ駆動部６により、被検眼Ｅに対して左右方向、上下方向（Ｙ方向）及び前後方向に移動される。移動台２は、ジョイスティック４の操作により基台１上をＸＺ方向に移動される。また、回転ノブ４ａを回転操作することにより、ＸＹＺ駆動部６がＹ駆動し撮影部３がＹ方向に移動される。なお、撮影部３の検者側には、眼底観察像や眼底撮影像を表示するモニタ８が設けられている。
【００１３】
図２は、撮影部３に収納される光学系及び制御系の概略構成図である。光学系は、照明光学系１０、眼底観察・撮影光学系３０、フォーカス指標投影光学系４０、アライメント指標投影光学系５０、前眼部観察光学系６０、固視標呈示光学系７０から大別構成されている。
【００１４】
＜照明光学系＞  照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー（ホールミラー）２２、被検眼の眼前に配置される対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１５】
＜眼底観察・撮影光学系＞  眼底観察・撮影光学系３０は、対物レンズ２５、孔あきミラー２２の開口近傍に位置する撮影絞り３１、お互いに屈折力の絶対値が等しい２枚の円柱レンズ９１，９２、光軸方向に移動可能なフォーカシングレンズ３２、結像レンズ３３、眼底撮影時には挿脱機構３９により光路から挿脱可能な跳ね上げミラー３４を備え、撮影光学系と眼底観察光学系は対物レンズ２５と撮影絞り３１から結像レンズ３３までの光学系を共用する。ここで、孔あきミラー２２は、対物レンズ２５に関して被検眼瞳孔と略共役な位置に配置され、撮影絞り３１は対物レンズ２５に関して被検眼Ｅの角膜と略共役な位置に配置されている。フォーカシングレンズ３２は、モータを備える移動機構（第１駆動機構）４９により光軸方向に移動される。３５は可視域に感度を有する撮影用二次元撮像素子である。跳ね上げミラー３４の反射方向の光路には、赤外光反射、可視光透過の特性を有するダイクロイックミラー３７、リレーレンズ３６、赤外域に感度を有する観察用二次元撮像素子３８が配置されている。なお、フォーカシングレンズ３２と２枚の円柱レンズ９１及び９２との間には、撮影光学系３０の撮影光路に対して挿脱可能な視度補正レンズ３２ａ（プラスレンズ、マイナスレンズの少なくともいずれか）が設けられており、モータを有し視度補正レンズ３２ａの挿脱動作を行う駆動機構８９により、被検眼が強い屈折異常の場合に光路中に挿入される。
【００１６】
なお、眼底撮影光学系の光路中に設けられる２枚の円柱レンズ９１及び９２は、被検眼の乱視を補正するための乱視補正用光学部材として用いられる。また、２枚の円柱レンズ９１及び９２は、それぞれモータを有する回転駆動機構（第２駆動機構）９３、９４の駆動により、光軸Ｌ１を中心に各々独立して回転され、所定の乱視度数及び乱視軸角度を得る。
【００１７】
また、対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、眼底観察用照明の波長光及びフォーカス指標投影光学系４０の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００１８】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検眼Ｅの瞳孔付近で一旦収束した後、拡散して被検眼眼底部を照明する。
【００１９】
また、眼底からの反射光は、対物レンズ２５、ダイクロイックミラー２４、孔あきミラー２２の開口部、撮影絞り３１、円柱レンズ９１及び９２、フォーカシングレンズ３２、結像レンズ３３、跳ね上げミラー３４、ダイクロイックミラー３７、リレーレンズ３６を介して撮像素子３８に結像する。
【００２０】
また、撮影光源１４の発光により、眼底は可視光により照明され、眼底からの反射光は対物レンズ２５、孔あきミラー２２の開口部、撮影絞り３１、円柱レンズ９１及び９２、フォーカシングレンズ３２、結像レンズ３３、跳ね上げミラー３４を経て二次元撮像素子３５に結像する。
【００２１】
＜フォーカス指標投影光学系＞  また、被検眼のフォーカス状態を検出するための光学系として、被検眼眼底に対してフォーカス用の指標を投影するための投影光束を出射する光源を有し光源から出射された投影光束を被検眼眼底に投影する指標投影光学系４０と、その指標投影光学系４０によって被検眼眼底に投影された投影光束による眼底反射光束を受光素子により受光する受光光学系（眼底観察光学系３０）が設けられている。
【００２２】
より具体的には、フォーカス指標投影光学系４０は、赤外光源４１、スリット指標板４２、このスリット指標板４２に取り付けられた２つの偏角プリズム４３、投影レンズ４７、照明光学系１０の光路に斜設されたスポットミラー４４を備える。スポットミラー４４はレバー４５の先端に固着されていて、通常は光軸に斜設されるが、撮影時にはロータリソレノイド４６の軸の回転で、光路外に退避させられる。なお、スポットミラー４４は被検眼の眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。また、フォーカス指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検眼Ｅの眼底に投影される。眼底のフォーカスが合っていないとき、スリット指標板４２の指標像Ｓ１・Ｓ２は分離され、フォーカスが合っているときに一致して投影される。そして、被検眼Ｅの眼底上に投影されたフォーカス指標像Ｓ１・Ｓ２は、眼底観察用の撮像素子３８によって眼底像と共に撮像される（図４参照）。
【００２３】
＜アライメント指標投影光学系＞  アライメント用指標光束を投影するアライメント指標投影光学系５０は、撮影光軸Ｌ１を中心に左右方向に対称に配置された赤外光源５１とコリメーティングレンズ５２を持つ第１指標投影光学系と、前述の第１指標投影光学系より狭い角度に配置された光軸を持ち光軸Ｌ１が通る垂直平面を挟んで左右対称に配置された第２指標投影光学系であって２つの赤外光源５３を持つ第２指標投影光学系と、を備える。第１指標投影光学系は被検眼Ｅの角膜に無限遠の指標を投影し、第２指標投影光学系は被検眼Ｅの角膜に有限遠の指標を投影する構成となっている。なお、第２指標投影光学系は、投影される指標光束が被検眼の瞳孔にかからないように、第１指標投影光学系によりも下側に設けられている。
【００２４】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つ二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源の点灯により、前眼部に投影されたアライメント指標が二次元撮像素子６５に受光される。二次元撮像素子６５の出力は制御部８０に入力され、図３に示すようにモニタ８には二次元撮像素子６５に撮像された前眼部像Ｆが表示される。なお、前眼部観察光学系６０は、被検眼に対する装置本体のアライメント状態を検出する役割を兼用する。
【００２５】
また、孔あきミラー２２の穴周辺には、被検眼の角膜上に光学アライメント指標（ワーキングドットＷ１）を形成するための２つの赤外光源５５（中心波長８８０ｎｍ）が光軸Ｌ１を中心に左右対称に配置される。ここで、光源５５による角膜反射光は、被検眼Ｅと撮影部３（装置本体）との作動距離が適切になったとき、眼底と略共役位置に配置された撮像素子３８の撮像面上に結像するようになっている。上記の構成は、被検眼の眼底を観察しながらアライメントの微調整を行うための指標投影光学系として用いられる。この場合、眼底観察光学系３０は、光源５５による角膜反射像を撮像素子３８に導く役割を兼用する。
【００２６】
＜固視標呈示光学系＞  被検眼の視線を誘導するための固視標呈示光学系７０は、赤色の光源７４、開口穴が形成された遮光板７１、リレーレンズ７５を備え、ダイクロイックミラー３７を介して跳ね上げミラー３４から対物レンズ２５までの観察光学系３０の光路を共用する。
【００２７】
固視標からの光束は、リレーレンズ７５、ダイクロイックミラー３７、跳ね上げミラー３４、結像レンズ３３、フォーカシングレンズ３２、円柱レンズ９２及び９１、孔あきミラー２２、ダイクロイックミラー２４、対物レンズ２５を通過して被検眼眼底に集光し、被検者は遮光板７１の開口穴からの光束を固視標として視認する。
【００２８】
＜制御系＞  二次元撮像素子６５、３８、３５の出力は制御部８０に接続されている。制御部８０は二次元撮像素子６５に撮像された前眼部画像からアライメント指標を検出処理し、二次元撮像素子３８に撮像された眼底画像からフォーカス指標を検出処理する。また、制御部８０はモニタ８に接続され、その表示画像を制御する。制御部８０には、他に、移動機構４９、挿脱機構３９、挿脱機構６６、回転駆動機構９３，９４，駆動機構８９、ジョイスティック４に設けられた回転ノブ４ａ及び撮影開始のトリガを発する撮影スイッチ４ｂ、各種のスイッチを持つスイッチ部８４、記憶手段としてのメモリ８５、コネクタ８６、各光源等が接続されている。なお、スイッチ部８４には、眼底像のフォーカス調整を行うためのフォーカス調整スイッチ８４ａ、モニタ８に表示される観察画像を前眼部像と眼底像とで切り換える切換スイッチ８４ｂ、視度補正レンズ３２ａを挿脱させる視度補正切換スイッチ８４ｃ、等が配置されている。また、メモリ８５には、制御部８０が各種制御を行うための制御プログラムが記憶されている。
【００２９】
また、制御部８０には、撮影部３によって撮影される被検眼が左右眼のうち何れかであるか否かを判別するための左右眼判別部１１０が接続されており、制御部８０は左右眼判別部１１０から出力される出力信号に基づいて被検者の左右眼を判別する。左右眼判別部１１０としては、例えば、マイクロスイッチやポテンショメータ等の位置検出センサによって撮影部３が左右中央を基準に左右どちらかに位置されているかを検出することにより左右眼の判別を行うような構成が考えられる。
【００３０】
以下に、上記のような構成を持つ装置の動作を説明する。まず、検者は、被検眼眼底の撮影を開始する前に、別筐体であって被検眼の眼屈折力を他覚的に測定する他覚式眼屈折力測定装置（以下、オートレフに省略する）を用いて、対応する被検眼の眼屈折力測定データ（例えば、球面度数（Ｓ）、乱視度数（Ｃ）、乱視軸角度（Ａ））を取得し、取得した測定データを眼底撮影前に本装置に入力しておく。
【００３１】
ここで、制御部８０は、本装置に入力される測定データを取得し、メモリ８５に記憶させる。例えば、本装置が持つ測定データ入力部としてのコネクタ部８６に、オートレフにより測定された測定データが記憶された持ち運び可能な記憶媒体（例えば、ＵＳＢメモリ、ＩＣカード等）が接続されると、制御部８０は、測定データの読みとり動作を行い、測定データをメモリ８５に記憶させる。また、有線通信（例えば、ＬＡＮケーブルでオートレフと本装置を接続する）又は無線通信（例えば、無線ＬＡＮ用の送受信部を設け、情報のやりとりを行う）によりオートレフから本装置に対して測定データを転送可能な構成としておき、オートレフから転送された測定データをメモリ８５に記憶させるようにしてもよい。
【００３２】
なお、入力される測定データは、被験者を識別するための識別情報として利用されるＩＤ番号との対応付けがなされており、複数の測定データが入力されたときに、被験者毎の測定データがそれぞれ判別できるような形式でメモリ８５に記憶される。さらに、被験者毎の判別が可能な測定データは、被験者の左右眼それぞれから得られた測定データを持ち、各測定データの左右眼の判別がなされた形式でメモリ８５に記憶される。
【００３３】
次に、検者は、スイッチ部８４に設けられた所定のスイッチを用いて、予め被検者それぞれに付与されているＩＤ番号を入力する。制御部８０は、メモリ８５に記憶された複数の測定データの中から、入力されたＩＤ番号に対応する測定データをメモリ８５から取得する。なお、メモリ８５に記憶された複数の測定データの中に、入力したＩＤ番号に対応するものが無かった場合、制御部８０は、その旨の表示をモニタ８に行う。そして、被検眼の眼屈折力測定データがない場合、制御部８０は、フォーカシングレンズ３２及び円柱レンズ９０及び９１を初期状態のまま（Ｓ＝０、Ｃ＝０の状態）とする。ただし、被検眼の測定データを検者が知ることができれば、スイッチ部８４に設けられたテンキー等を用いて測定データを入力するようにしてもよい。
【００３４】
次に、検者は、被検者の顔を顔支持ユニット５により支持する。初期段階では、ダイクロイックミラー２４が眼底観察・撮影光学系３０の光路に挿入されており、撮像素子６５に撮像された前眼部像がモニタ８に表示される。検者は、モニタ８に表示された前眼部像を観察しながら、撮影する方の被検眼（例えば、右眼）の前眼部像がモニタ８の表示中心に位置するように、ジョイスティック４の操作により前述の光学系が内蔵された装置本体を左右上下に移動する。また、前眼部像のピントが合うように装置本体を前後に移動する。
【００３５】
ここで、制御部８０は、撮影部３が検者から見て装置中央より左に撮影部３が置かれていると、左右眼判別部１１０からの信号に基づいて撮影部３によって撮影される被検眼（撮影眼）が右眼であると判別し、判別結果をモニタ８に表示させる。また、撮影部３が検者から見て装置中央より右に撮影部３が置かれていると、制御部８０は、左右眼判別部１１０からの信号に基づいて撮影部３によって撮影される被検眼（撮影眼）が左眼であると判別し、判別結果をモニタ８に表示させる。
【００３６】
そして、制御部８０は、左右眼判別部１１０により判別した判別結果に基づいて、左右眼判別結果に対応する測定データに基づいてフォーカシングレンズ３２及び円柱レンズ９１及び９２の移動を行う。より具体的には、左右眼判別部１１０により被検眼が右眼と判別された場合、制御部８０は、右眼の測定データに基づいて、これに対応する移動機構４９の駆動信号（例えば、基準位置からの移動量）及び回転機構９３及び９４の駆動信号（例えば、基準位置からの回転量）をメモリ８５から取得する。そして、制御部８０は、取得された各駆動信号に基づいて移動機構４９及び回転機構９３及び９４を駆動制御してフォーカシングレンズ３２及び円柱レンズ９１及び９２を各方向に移動させる。
【００３７】
ここで、制御部８０は、測定データに含まれる被検眼（右眼）の乱視度数及び乱視軸角度に基づいて、被検眼の乱視状態が補正されるように、回転駆動機構９３及び９４を駆動制御する。例えば、取得された眼屈折力測定データ（以下、測定データに省略する）において、被検眼の乱視度数がＣ＝−２．０Ｄで、乱視軸角度がＡ＝９０°の場合、円柱レンズ９１及び９２がＣ＝−２．０Ｄ、Ａ＝９０°の光学特性を持つようにすればよい。
【００３８】
また、制御部８０は、測定データに含まれる被検眼の球面度数に基づいて、被検眼の球面屈折誤差が補正されるように、移動機構４９を動作させる。例えば、取得された測定データにおいて、被検眼の球面度数がＳ＝−３．０Ｄの場合、制御部８０は、基準位置として０Ｄに対応する位置に配置されたフォーカシングレンズ３２を−３．０Ｄに対応する位置に移動させる。
【００３９】
また、制御部８０は、被検眼が所定値を上回る強度の屈折異常眼の場合、駆動機構８９を駆動させて、これに対応する視度補正レンズ３２ａ（強度近視であれば、−レンズ、強度遠視であれば、＋レンズ）を撮影光学系３０の撮影光路中に挿入させる。
【００４０】
なお、被検眼の眼屈折力測定データに対応する移動機構４９及び回転機構９３及び９４の各駆動信号（駆動情報）は、予め演算等により算出され、メモリ８５に記憶される。この場合、円柱レンズ９１及び９２の特性上、円柱レンズ９１及び９２が持つ乱視度数（円柱度数）によって円柱レンズ９１及び９２が持つ球面度数が変化するので、被検眼の球面度数に加えて、乱視度数の変化に伴う円柱レンズ９１及び９２の持つ球面度数の変化量を考慮して、移動機構４９の駆動信号を設定する必要がある。
【００４１】
上記のようにして、被検眼の視度補正及び被検眼に対するアライメントが完了し、切換スイッチ８４ｂが操作されると、モニタ８の表示画面は撮像素子３８に撮像される眼底画像へ切換えられる（図４参照）。図４は、切換スイッチ８４ｂの操作により撮像素子３８の眼底像に切換えられたときの画面例であり、アライメント状態がある程度適正にされると、この眼底像では光源５５により形成される角膜反射の２つのワーキングドットＷが現われる。検者はこの眼底画像を見ながら、ワーキングドットＷのピントや眼底像のフレア等を確認し、所望する状態で撮影できるように、さらにジョイスティックの手動操作にてアライメント状態を微調整する。
【００４２】
眼底像の観察によりアライメントの微調整を行った後は、図４に示されるように、中心にフォーカス指標投影光学系４０によるフォーカス指標像Ｓ１、Ｓ２が投影されているので、この指標像に基づいてフォーカシングレンズ３２及びスリット指標板４２を光軸方向に移動させ、眼底のフォーカス合わせを行う。フォーカス指標像Ｓ１，Ｓ２は、フォーカスが合っていないときには分離され、フォーカスが合っているときに一致して投影される。フォーカス合わせは検者の操作により手動でも可能であるが、本装置ではオートフォーカスモードに設定されている。
【００４３】
ここで、制御部８０は、前述の眼屈折力測定データに基づく移動機構４９及び回転駆動機構９３及び９４の駆動が停止したら、オートフォーカスの実行を許可する許可信号を予め発しておく。そして、許可信号が発せられた状態で、撮像素子３８上にフォーカス指標Ｓ１・Ｓ２が検出されると、制御部８０は、撮像素子３８からの受光信号に基づいて移動機構４９を駆動制御し、被検眼眼底に対するオートフォーカスを開始する。この場合、フォーカス指標像Ｓ１，Ｓ２は、制御部８０により検出処理され、その分離情報が取得される。制御部８０は、フォーカス指標像Ｓ１，Ｓ２の分離情報を基に基づいて被検眼と撮像素子３５（撮像素子３８）とのフォーカス状態を検出し、両者が一致するように移動機構４９を駆動制御して眼底のフォーカス合わせを行う。
【００４４】
上記のように、制御部８０は、被検眼眼底に対するオートフォーカスを実行する前に、オートレフより取得された測定データにおける被検眼の乱視度数及び乱視軸角度に基づいて回転駆動機構９３及び９４を駆動制御して被検眼の乱視を補正するように設定されている。また、本実施形態では、これに加えて、被検眼眼底に対するオートフォーカスを実行する前に、測定データにおける被検眼の球面度数に基づいて移動機構４９を駆動制御して被検眼の球面成分の屈折異常を補正するように設定されている。
【００４５】
この場合、前述の眼屈折力データに基づくフォーカシングレンズ３２の移動及び円柱レンズ９１、９２の回転移動によって予め被検眼の視度補正がなされているので、上記オートフォーカス制御は、眼屈折力測定装置での測定誤差や眼底カメラの撮影光学系の光学特性の誤差などによって残存している被検眼の屈折異常を補正する。
【００４６】
また、上記のようにフォーカス合わせが完了した後、検者が撮影スイッチ８４ｂを押すことにより撮影が実行される。撮影スイッチ４ｂのトリガ信号が入力されると、制御部８０は挿脱機構６６を駆動することによりダイクロイックミラー２４を光路から離脱させると共に、撮影光源１４を発光する。撮影光源１４の発光により、眼底は可視光により照明され、眼底からの反射光は撮像素子３５に結像する。モニタ８の表示は撮像素子３５で撮影されたカラーの眼底画像に切換えられる。撮像素子３５で撮影された眼底像は、メモリ８５に記憶される。
【００４７】
以上のようにして、右眼の眼底撮影が完了したら、検者は、ジョイスティック４を操作して撮影部３を左眼方向に移動させる。ここで、被検眼の右眼に対する撮影後、左眼の撮影を行う場合、制御部８０は、左右眼判別部１１０からの出力信号に基づいて左右眼の切換を検出し、撮影眼として新たに判別された被検眼に対応する測定データに基づいて移動機構４９及び回転機構９３及び９４を駆動制御する。
【００４８】
より具体的には、検者から見て装置中央に対して右側に撮影部３が移動されるため、制御部８０は、左右眼判別部１１０から入力される入力信号に基づいて撮影眼が左眼であると判別し、判別結果をモニタ８に表示させる。そして、制御部８０は、メモリ８５から取得された左眼の測定データに基づいて、右眼のときと同様に、移動機構４９及び回転機構９３及び９４を駆動制御して、フォーカシングレンズ３２及び円柱レンズ９１及び９２の移動を行う。なお、以降の説明については、右眼撮影時と同様の手法にて行われるものであるので、説明を省略する。
【００４９】
以上のような構成とすれば、簡単なフォーカス指標投影光学系により被検眼の乱視状態を補正することができるので、被検眼が乱視眼であっても、鮮明な眼底画像を撮影できる。また、オートフォーカスを行う前に、円柱レンズ９１及び９２による被検眼の乱視補正を行うことにより、乱視の影響によるフォーカス指標の歪みが除去された状態でフォーカス状態を検出できるので、精度の高いオートフォーカスを行うことができる。また、オートフォーカス実行後に、円柱レンズ９１及び９２を光軸Ｌ１を中心に回転させて乱視補正を行うと、再度フォーカシングレンズ３２を移動させる必要があり（円柱レンズはＳ値を持つため）、フォーカシングレンズ３２の移動量の誤差等によってフォーカスがずれてしまう可能性があるが、予め円柱レンズ９１及び９２による乱視補正を実行しておけば、そのような問題を回避できる。
【００５０】
なお、被検眼の眼屈折力測定データに基づく視度補正制御について、以上の説明においては、被検眼の球面度数、乱視度数、乱視軸角度を用いるものとしたが、少なくとも被検眼の乱視度数及び乱視軸角度に基づいて円柱レンズ９１及び９２を光軸Ｌ１を中心に回転移動させることにより被検眼の乱視状態が補正されるものであればよい。例えば、被検眼の乱視度数及び乱視軸角度に基づいて円柱レンズ９１及び９２を光軸Ｌ１を中心に回転移動させて被検眼の乱視状態を予め補正した状態で、被検眼に投影されたフォーカス指標を検出してオートフォーカス制御を行うことにより被検眼の球面度数成分の屈折異常を補正するようにしてもよい。
【００５１】
また、被検眼の眼屈折力測定データの取得について、以上の説明においては、オートレフで得られた複数の被験者の測定データを眼底カメラのメモリ８５に記憶させるものとしたが、これに限るものではなく、オートレフと眼底カメラが所定のサーバーを介してネットワークで接続され、サーバーが持つデータベース上において、オートレフで取得された被験者毎の測定データが一括記憶されているような場合においても、本発明の適用が可能である。この場合、制御部８０は、検者により被験者のＩＤ番号が入力されたら、入力されたＩＤ番号に対応する測定データをサーバーから取得し、取得された測定データに基づいて上記のようにフォーカシングレンズ３２及び円柱レンズ９１及び９２の移動を行う。
【００５２】
また、上記構成において、制御部８０は、オートレフから入力された被検眼の乱視度数が所定値以上（例えば、−１Ｄ以上）であるか否かを判定し、所定値以上であると判定された場合に、その乱視度数及び乱視軸角度に基づいて円柱レンズ９１及び９２を光軸Ｌ１中心に回転させるようにしてもよい。
【図面の簡単な説明】
【００５３】
【図１】本実施形態に係る眼底カメラの外観構成図である。
【図２】撮影部に収納される光学系及び制御系の概略構成図である。
【図３】二次元撮像素子に撮像された前眼部像がモニタに表示されたときの画面例である。
【図４】二次元撮像素子に撮像された眼底像がモニタに表示されたときの画面例である。
【符号の説明】
【００５４】
３０  眼底観察・撮影光学系
３２  フォーカシングレンズ
４０  フォーカス指標投影光学系
４９  移動機構
８０  制御部
９１、９２  円柱レンズ
９３、９４  回転駆動機構
１１０  左右眼判別部
【図１】
2009207572.tif 000003
【図２】
2009207572.tif 000004
【図３】
2009207572.tif 000005
【図４】
2009207572.tif 000006